(57)【要約】【課題】簡単な構成で緩衝材の取り出しが容易に行える包装箱を提供する。【解決手段】包装箱１は、商品２を収容する箱体３と、商品２と共に箱体３に収容されて商品２を保護する上部緩衝材４および底部緩衝材５を備える。箱体３の側面板７には、上片が折り曲げ部１２ａを介して箱体３とつながった把手形成片１２を備える。把手形成片１２の内側の上部緩衝材４には、下片が折り曲げ部１５ａを介して上部緩衝材４とつながった抜取ガイド片１５を備える。把手形成片１２を折り曲げ部１２ａで内側に折り曲げると、把手形成片１２で抜取ガイド片１５が押され、抜取ガイド片１５が折り曲げ部１５ａで内側に折り曲げられて把手部１７が形成される。【選択図】        図１
2006076585.tif 000002
【特許請求の範囲】
【請求項１】
板状の紙材を折り曲げて構成される緩衝材と、商品および前記緩衝材が収容される箱体とを備えた包装箱において、
上辺の一部または全部が折り曲げ部を介して前記箱体とつながると共に、他の辺が切り込みによって前記箱体と分離した把手形成片と、
前記緩衝材の前記把手形成片と接する部位に形成され、前記把手形成片と同等以上の大きさを有し、かつ、下辺の一部または全部が折り曲げ部を介して前記緩衝材とつながると共に、他の辺が切り込みによって前記緩衝材と分離した抜取ガイド片とを備え、
前記抜取ガイド片が前記折り曲げ部で内側に折り曲げられて、前記緩衝材に開口部が形成されると共に、前記把手形成片が前記折り曲げ部で内側に折り曲げられて、前記開口部に入り込んで把手部が形成される
ことを特徴とする包装箱。
【請求項２】
前記把手形成片を前記折り曲げ部で内側に折り曲げると、前記把手形成片で前記抜取ガイド片が押され、前記抜取ガイド片が前記折り曲げ部で内側に折り曲げられて前記把手部が形成される
ことを特徴とする請求項１記載の包装箱。
【発明の詳細な説明】
【技術分野】
【０００１】
本発明は、板状の紙材を折り曲げ等によって所定の形状とした緩衝材で商品を保護して箱体に収容した包装箱に関する。詳しくは、箱体に形成された把手形成片が入り込む開口部を緩衝材に備えると共に、開口部とつながる抜取ガイド片を備えることで、緩衝材を箱体から取り出す際に、緩衝材の開口部が把手形成片に引っ掛からないようにしたものである。
【背景技術】
【０００２】
商品を梱包する包装箱において、梱包する商品がプリンタ等で包装箱がある程度の大きさを有するものである場合、包装箱に把手部が備えられる。包装箱に把手部を備える場合、包装箱の一部に開口部を形成して把手部とする形態がある。このような構成の包装箱では、把手部として別部材が必要でないため、コストを抑えることができる。
【０００３】
さて、包装箱の一部に開口部を形成して把手部とするには、把手部の内側に手の入る空間が必要である。従来の発泡プラスチック製の緩衝材では、複雑な形状であっても成形が容易であることから、把手部の内側となる位置に、把手部や手の入り込む空間を容易に設けることが可能であった（例えば、特許文献１参照）。
【０００４】
すなわち、発泡スチロールからなる緩衝材の側面に、段ボール材の箱体に形成した把手部が入り込む凹部を形成することで、把手部や手の入り込む空間を設けることが可能である。また、緩衝材の側面に箱体の内面に当接する突起部を形成することで、緩衝材の一部に凹部を形成しても、箱体の変形等を抑えることが可能である。
【０００５】
更に、発泡スチロールの緩衝材では、複雑な形状であっても成形が容易であることから、緩衝材を箱体から引き出す際に、把手部の引っ掛かりを防ぐ形状を突起部に形成することも可能である。
【０００６】
これに対して、環境問題等により、緩衝材として使用する材料をプラスチックから段ボールに置き換えた緩衝材が提案されている。緩衝材として段ボール等の板状の紙材を利用する場合は、板材を折り曲げ等によって所定の形状としている。
【０００７】
図７〜図９は緩衝材として紙材を利用した従来の包装箱の例を示し、図７（ａ）、図８（ａ）および図９（ａ）は斜視図、図７（ｂ）、図８（ｂ）および図９（ｂ）は正面断面図である。
【０００８】
包装箱５１は、商品５２を収容する箱体５３と、商品５２と共に箱体５３に収容されて商品５２を保護する上部緩衝材５４および底部緩衝材５５を備える。箱体５３は、段ボール等の板材を折り曲げて直方体状に組み立てられ、左右の側面板５６に、一辺が折り曲げ部を介して箱体５３とつながった把手形成片５７を備える。
【０００９】
図７の構成では、把手形成片５７の内側に配置される上部緩衝材５４に開口部は形成していない。図８の構成では、把手形成片５７に合わせて上部緩衝材５４の一部を四角形状に切り欠いて開口部５８を形成してある。更に、図９の構成では、上部緩衝材５４の下面までつながった開口部５９を形成してある。
【００１０】
【特許文献１】特開２０００−２８９７７７号公報
【発明の開示】
【発明が解決しようとする課題】
【００１１】
図７の構成では、把手形成片５７の内側に配置される上部緩衝材５４に開口部は形成していない。上部緩衝材５４が箱体５３の側面板５６に接する構成では、図７（ｂ）に示すように、把手形成片５７を矢印で示す内側に折り曲げる空間がなく、手が入り込む空間も無いので、把手としての機能を果たせない。
【００１２】
図８の構成では、把手形成片５７に合わせて上部緩衝材５４に開口部５８を形成したので、図８（ｂ）に示すように、把手形成片５７を内側に折り曲げて把手部６０を形成することができる。
【００１３】
しかし、開梱する際に、上部緩衝材５４を取り出そうとすると、図８（ｂ）に矢印で示すように上部緩衝材５４の開口部５８の下辺部等が把手形成片５７に引っ掛かり、上部緩衝材５４を箱体５３から容易に取り出すことが出来ない場合がある。
【００１４】
図９の構成では、上部緩衝材５４の下面までつながった開口部５９を形成することで、開口部５９が上部緩衝材５４を取り出す際の把手形成片５７の逃げ部としても機能する。
【００１５】
しかし、図９（ｂ）に示すように、開口部５９の面積が大きいため、上部緩衝材５４は強度が弱い。特に、包装箱５１に上下方向の振動が加わった場合に、上部緩衝材５４に商品２から図９（ｂ）に矢印で示す方向の力が加わると、上部緩衝材５４が大きく変形し、緩衝材としての機能を果たせない。
【００１６】
このため、従来は、把手部として使用できる空間を確保し、かつ箱体からの取り出しを容易にするために、複雑な形状の板材を折り曲げたり、複数の部材を組み合わせて緩衝材を構成しており、組み立て工数の増加や製品コストの増加につながっていた。
【００１７】
本発明は、このような課題を解決するためになされたもので、簡単な構成でかつ緩衝材の取り出しが容易に行える包装箱を提供することを目的とする。
【課題を解決するための手段】
【００１８】
上述した課題を解決するため、本発明に係る包装箱は、板状の紙材を折り曲げて構成される緩衝材と、商品および緩衝材が収容される箱体とを備えた包装箱において、上辺の一部または全部が折り曲げ部を介して箱体とつながると共に、他の辺が切り込みによって箱体と分離した把手形成片と、緩衝材の把手形成片と接する部位に形成され、把手形成片と同等以上の大きさを有し、かつ、下辺の一部または全部が折り曲げ部を介して緩衝材とつながると共に、他の辺が切り込みによって緩衝材と分離した抜取ガイド片とを備え、抜取ガイド片が折り曲げ部で内側に折り曲げられて、緩衝材に開口部が形成されると共に、把手形成片が折り曲げ部で内側に折り曲げられて、開口部に入り込んで把手部が形成されるものである。
【００１９】
本発明に係る包装箱では、商品および緩衝材を箱体に収容すると、箱体の把手形成片と緩衝材の抜取ガイド片が対向して接する。包装箱を持ち運ぶため、把手部を形成するには、把手形成片を押し込む。
【００２０】
これにより、把手形成片が折り曲げ部で内側に折り曲げられる。また、把手形成片の内側に接している抜取ガイド片が把手形成片に押されることで、抜取ガイド片が折り曲げ部で内側に折り曲げられる。
【００２１】
そして、抜取ガイド片が内側に折り曲げられることで、緩衝材に開口部が形成されて把手形成片が入り込み、箱体の内側に手が入る空間が確保されて把手部が形成される。
【００２２】
商品を取り出すために緩衝材を取り出すと、緩衝材の抜取ガイド片は、緩衝材の開口部に入り込んでいる把手形成片に接触して内側にガイドされる。これにより、緩衝材の開口部の縁部等が把手形成片等に引っ掛かることなく、緩衝材は箱体から抜き取られる。
【発明の効果】
【００２３】
本発明によれば、板状の紙材を所定の形状とした緩衝材に、下辺が折り曲げ部を介してつながった抜取ガイド片を備えたことで、上辺が折り曲げ部を介して箱体とつながった把手形成片を内側に折り曲げて把手部を形成する包装箱において、把手形成片が入り込む開口を緩衝材に形成できると共に、開梱時に緩衝材を箱体からスムーズに取り出せる構成とすることができる。また、包装箱の運搬時には把手部を簡単な手順で形成することができる。
【００２４】
更に、抜取ガイド片は平板上に簡単に形成できるので、組み立て工数や製品コストに影響を与えることはない。また、箱体の把手部の位置の変更に容易に対応でき、位置変更に際して部品点数も増加しないので、製品コストの上昇を抑えることができる。従って、使い勝手に優れた包装箱を低コストで提供できる。
【発明を実施するための最良の形態】
【００２５】
以下、図面を参照して本発明の包装箱の実施の形態について説明する。図１は本実施の形態の包装箱１の構成の一例を示す正面断面図、図２は本実施の形態の包装箱１を構成する各部の一例を示す斜視図である。
【００２６】
包装箱１は、商品２を収容する箱体３と、商品２と共に箱体３に収容されて商品２を保護する上部緩衝材４および底部緩衝材５を備える。箱体３は、段ボール等の板材を折り曲げて直方体状に組み立てられ、正面板６と、左右の側面板７と、背面板８を備える。
【００２７】
正面板６には蓋板９ａが折り曲げ部６ａを介して連続形成され、左右の側面板７には蓋フラップ１０が折り曲げ部７ａを介して連続形成され、背面板８には蓋板９ｂが折り曲げ部８ａを介して連続形成される。
【００２８】
本例の包装箱１では、折り曲げ部７ａで蓋フラップ１０が内向きに折り畳まれることで、左右の蓋フラップ１０で箱体３の上部開口の左右両側が閉じられる。また、折り曲げ部６ａで蓋板９ａが内向きに折り畳まれ、折り曲げ部８ａで蓋板９ｂが内向きに折り畳まれることで、蓋板９ａと蓋板９ｂで箱体３の上部開口の全面が閉じられる。
【００２９】
なお、詳細は図示しないが、箱体３の底面側は、蓋側と同等の構成等によって塞がれて底板１１が形成される。
【００３０】
ここで、各折り曲げ部は、例えばプレス加工によって線状に薄肉部を形成する等により、所定の位置で折り曲げが行える加工が行われている。
【００３１】
箱体３は、左右の側面板７にそれぞれ把手形成片１２を備える。図３は把手形成片１２の構成の一例を示す側面板７の正面図である。把手形成片１２は、例えば長円形状の上辺部の一部、または全部が折り曲げ部１２ａによって側面板７と一体につながり、他の辺は切り込み部１３によって側面板７から分離している。これにより、把手形成片１２は、折り曲げ部１２ａで側面板７に対して折り曲げることができる構成である。
【００３２】
図１および図２に戻り、上部緩衝材４は、段ボール等の板材を折り曲げ、所定の形状に組み合わせて構成される。上部緩衝材４は、商品２の上部側を保持する形状を有すると共に、箱体３に収容されると、４側面と上面が箱体３に支持される形状を有する。
【００３３】
上部緩衝材４の両側部は、例えば段ボール等の板材を角筒状に折り曲げて構成され、内部に空間が形成される。そして、上部緩衝材４を箱体３に収容すると、上部緩衝材４の左右の側面板１４が箱体３の側面板７の内面に接触する。
【００３４】
上部緩衝材４は、側面板１４にそれぞれ抜取ガイド片１５が形成される。抜取ガイド片１５は、上部緩衝材４を箱体３に収容すると、把手形成片１２と対向する部位に形成される。
【００３５】
図４は抜取ガイド片１５の構成の一例を示す側面板１４の正面図である。抜取ガイド片１５は例えば長方形状で、箱体３に対する上部緩衝材４の取り出し方向の後端側となる下辺部の一部、または全部が折り曲げ部１５ａによって上部緩衝材４と一体につながり、他の３辺は切り込み部１６によって上部緩衝材４から分離している。これにより、抜取ガイド片１５は折り曲げ部１５ａで上部緩衝材４に対して折り曲げることができる構成である。
【００３６】
ここで、図４において把手形成片１２を二点鎖線で示す。抜取ガイド片１５の縦の長さは把手形成片１２の縦の長さと同等以上に設定され、また、抜取ガイド片１５の横の長さは把手形成片１２の横の長さと同等以上に設定されて、抜取ガイド片１５の方が把手形成片１２より大きなサイズを有する。また、箱体３の所定の位置に上部緩衝材１４を収容したときに、把手形成片１２の全体が抜取ガイド片１５に収まる位置関係とする。
【００３７】
図１および図２に戻り、底部緩衝材５は、段ボール等の板材を折り曲げ、所定の形状に組み合わせて構成される。底部緩衝材５は、商品２の下部側を保持する形状を有すると共に、箱体３に収容されると、４側面と底面が箱体３に支持される形状を有する。
【００３８】
次に、本実施の形態の包装箱１の包装および開梱動作について、各図を参照して説明する。先ず、包装動作について説明すると、箱体３に所定の向きで底部緩衝材５を収容し、底部緩衝材５上に所定の向きで商品２を収容し、更に、商品２上に所定の向きで上部緩衝材４を収容して、蓋フラップ１０および蓋板９ａ，９ｂで箱体３の上部開口を閉じる。
【００３９】
この状態では、箱体３の左右の側面板７の把手形成片１２と、上部緩衝材４の抜取ガイド片１５が対向する部位にある。なお、上部緩衝材４の収容時に、抜取ガイド片１５を内側に折り曲げておいても良いが、本例では、折り曲げていない状態とする。また、把手形成片１２は折り曲げていない状態で出荷される。
【００４０】
図５は把手形成動作を示す包装箱１の正面断面図である。商品２を包装した包装箱１を人手で運搬する場合、把手形成片１２を押す。把手形成片１２が押されることで、把手形成片１２が折り曲げ部１２ａで矢印ａ方向に折り曲げられて内側に入り込み、抜取ガイド片１５を押す。抜取ガイド片１５は、把手形成片１２に押されることで、折り曲げ部１５ａで矢印ｂ方向に折り曲げられて内側に入り込む。
【００４１】
そして、把手形成片１２を上向きとなるまで折り曲げることで、箱体３の側面板７において、図１に示すように把手形成片１２の形成部位が開口して把手部１７が形成される。把手部１７では、箱板３の内側の上部緩衝材４の抜取ガイド片１５の形成部位に開口部１８が形成されることで、把手部１７は上部緩衝材４内と連通することで、手を入れる空間が確保される。
【００４２】
なお、把握形成片１２は上辺が折り曲げ部１２ａで箱体３とつながるので、把手部１７を利用して人手で包装箱１を運搬する場合は、手は主に折り曲げ部１２ａに接することになる。折り曲げ部１２ａは鋭利な部分が存在しないので、安全性が向上する。
【００４３】
次に、商品２を取り出すための開梱動作について説明する。商品２を取り出すには、蓋板９ａ，９ｂおよび蓋フラップ１０を開け、上部緩衝材４を上方へ取り出す。図６は開梱動作を示す包装箱１の正面断面図である。把手部１７が形成されている状態で、上部緩衝材４を上方（矢印ｃ方向）へ取り出すと、内側に折り曲げられて上向きとなっている把手形成片１２に、やはり内側に折り曲げられている抜取ガイド面１５が接触する。
【００４４】
抜取ガイド面１５は、下辺の折り曲げ部１５ａで内側に向けて折り曲げられていることで、先端側が把手部１７の開口より内側に入り込んでいる。そして、上部緩衝材４の抜取動作で、把手形成片１２に沿って抜取ガイド片１５が内側に向けてガイドされることで、抜取ガイド片１５および上部緩衝材４の側面板１４を内側に向けて矢印ｄ方向に変形させながら、上部緩衝材４は箱体３から取り出される。
【００４５】
これにより、抜取ガイド片１５が把手部１７の外側に出て引っ掛かることはなく、上部緩衝材４をスムーズに取り出すことができる。従って、把手部１７が形成された包装箱１で上部緩衝材４を容易に取り出すことができ、開梱作業が容易となる。
【００４６】
ここで、包装箱１において把手部１７を形成し、かつ上部緩衝材４の抜取をスムーズに行えるようにするため、上部緩衝材４には抜取ガイド片１５を形成しているが、抜取ガイド片１５は平板の一部に切り込みを入れた構成であるので、単純な構成で、製品コストの上昇につながることはない。また、上部緩衝材４の強度低下を招くこともなく、緩衝材として所期の性能を持たせることができる。
【産業上の利用可能性】
【００４７】
本発明は、段ボール等の板材を折り曲げ等により所定の形状とした緩衝材を使用し、かつ、把手を備えることが必要とされる大きさの包装箱に適用される。
【図面の簡単な説明】
【００４８】
【図１】本実施の形態の包装箱の構成の一例を示す正面断面図である。
【図２】本実施の形態の包装箱を構成する各部の一例を示す斜視図である。
【図３】把手形成片の構成の一例を示す正面図である。
【図４】抜取ガイド片の構成の一例を示す正面図である。
【図５】把手形成動作を示す包装箱の正面断面図である。
【図６】開梱動作を示す包装箱の正面断面図である。
【図７】緩衝材として紙材を利用した従来の包装箱の例を示す説明図である。
【図８】緩衝材として紙材を利用した従来の包装箱の例を示す説明図である。
【図９】緩衝材として紙材を利用した従来の包装箱の例を示す説明図である。
【符号の説明】
【００４９】
１・・・包装箱、２・・・商品、３・・・箱体、４・・・上部緩衝材、５・・・底部緩衝材、６・・・正面板、６ａ・・・折り曲げ部、７・・・側面板、７ａ・・・折り曲げ部、８・・・背面板、８ａ・・・折り曲げ部、９ａ・・・蓋板、９ｂ・・・蓋板、１０・・・蓋フラップ、１１・・・底板、１２・・・把手形成片、１２ａ・・・折り曲げ部、１３・・・切り込み部、１４・・・側面板、１５・・・抜取ガイド片、１５ａ・・・折り曲げ部、１６・・・切り込み部、１７・・・把手部、１８・・・開口部
【図１】
2006076585.tif 000003
【図２】
2006076585.tif 000004
【図３】
2006076585.tif 000005
【図４】
2006076585.tif 000006
【図５】
2006076585.tif 000007
【図６】
2006076585.tif 000008
【図７】
2006076585.tif 000009
【図８】
2006076585.tif 000010
【図９】
2006076585.tif 000011